(57)【要約】      （修正有）【課題】コンクリート製品に形成されている孔部の損傷を防止することで、孔部の修復に要する手間とコストを削減することができ、かつ製造が容易で、多数の製品に対し繰り返し使用が可能なコンクリート製品の孔部損傷防止用保護カバー及びその製造方法を提供する。【解決手段】孔部損傷防止用保護カバー１は、取付け対象となるコンクリート製品の孔部の内表面形状に一致させて成形した樹脂製の孔内表面保護部２と、孔部の外周表面部に当接するフランジ部３とを備える。材料として熱可塑性樹脂を用いた場合には、家庭用ドライヤーなどの簡易な加熱手段により安価に容易に製作することができる。対象となるコンクリート製品の孔部に金属材料が埋め込まれている場合には、この孔部損傷防止用保護カバー１に磁石５を取り付けておくことで、孔部へ装着した際の孔部からの脱落を防止することができる。【選択図】図３
2019183475.tif 000002
【特許請求の範囲】
【請求項１】
コンクリート製品に形成されている孔部が外部物体との接触または衝突によって損傷するのを防止するためのコンクリート製品の孔部損傷防止用保護カバーであって、前記孔部の内表面形状に一致させて成形した樹脂製の孔内表面保護部と、前記コンクリート製品の孔部外周表面部に当接するフランジ部とを備えていることを特徴とするコンクリート製品の孔部損傷防止用保護カバー。
【請求項２】
請求項１記載のコンクリート製品の孔部損傷防止用保護カバーにおいて、前記コンクリート製品の孔部または孔部周辺の一部に金属が埋め込まれており、前記孔部損傷防止用保護カバーには、前記金属部分に固定するための磁石が取り付けてあることを特徴とするコンクリート製品の孔部損傷防止用保護カバー。
【請求項３】
請求項１または２記載のコンクリート製品の孔部損傷防止用保護カバーにおいて、前記コンクリート製品がトンネル覆工用のセグメントであり、前記孔部が吊り孔であることを特徴とするコンクリート製品の孔部損傷防止用保護カバー。
【請求項４】
請求項１〜３の何れか一項に記載のコンクリート製品の孔部損傷防止用保護カバーの製造方法であって、シート状の熱可塑性樹脂材料を対象となるコンクリート製品の孔部の内表面形状に添わせる工程と、前記熱可塑性樹脂材料を加熱手段により加熱して前記孔部の内表面形状に一致するように前記孔内表面保護部を成形加工する工程と、前記孔内表面保護部に対し、前記フランジ部を取り付ける工程とを備えることを特徴とする孔部損傷防止用保護カバーの製造方法。
【発明の詳細な説明】
【技術分野】
【０００１】
本発明は、コンクリート製品の吊り孔などの孔部の損傷を防止するための保護カバー及びその製造方法に関するものである。
【背景技術】
【０００２】
例えば、シールド工法で用いられるＲＣセグメントは、工事時期に応じてあらかじめ大量のセグメントを製造し、シートを被せた状態でストックヤードに保管しておくといったことが行われる。その場合、セグメントの重量が大きいため、運搬車両からの積降作業、積載作業をラフタークレーンなどで行っている。
【０００３】
図１は大型のＲＣセグメントの一例を示したもので、この例ではセグメント１１の中央に裏込め材注入孔（孔部１２）が形成されており、この裏込め材注入孔を吊り孔として兼用している。なお、このような形態に限らず、セグメントの隅角部に吊り孔が形成されている場合や、継手ボックスその他の目的で孔部が形成されている場合もある。
【０００４】
また、セグメントに限らず、側溝用ブロック、暗渠用ブロック、その他各種のコンクリート製品において、種々の目的で孔部が形成されている。
【０００５】
このような孔部はコンクリート製品において損傷しやすい部分であり、揚重機械の吊上げ部の金属と接触したり、何らかの外部物体が衝突するなどして孔部が損傷した場合、孔部を修復する作業が必要となる。実際、重量物の吊り上げ作業においては、かなりの頻度で孔部の損傷が生じており、その修復の多くの労力とコストが費やされている。
【０００６】
従来、コンクリート製品の損傷を防止する技術としては、例えば特許文献１、特許文献２に記載された発明がある。
【０００７】
特許文献１には、積載時等にコンクリート製品相互が衝突しても欠損を生じないようにするためのガード部材として、コンクリート製品の相隣る二面のそれぞれに当接配置する一対の緩衝板を、平板状に展開可能にして、かつＬ型に屈曲可能に連結したコンクリート製品の欠損防止用ガード部材が記載されている。
【０００８】
特許文献２には、コンクリートセグメントのコーナー部の保護部材として、一枚の金属製平板材から形成され、コンクリートセグメントコーナー形態をなしてコンクリートセグメントコーナー部の各直交する３面をそれぞれカバーする板状の本体部と、各平板の端部から、コンクリートセグメント内方に向けて延びて配設されるアンカーとから形成された保護部材が記載されている。
【０００９】
また、特許文献３には、コンクリート製品のインバート内に頭部を露出させて埋設されている吊りアンカーの腐食を防止するための吊りアンカー用カバーとして、インバートにほぼ沿った外形の底部を有し、この底部には、底部をインバートに挿入した時に吊りアンカーの頭部が嵌め込まれる頭部収容孔が形成されている吊りアンカー用カバーが記載されている。
【先行技術文献】
【特許文献】
【００１０】
【特許文献１】特開２００７−１６２２０９号公報
【特許文献２】特開２０１５−１３２０６６号公報
【特許文献３】特開２０００−１１０４９４号公報
【発明の概要】
【発明が解決しようとする課題】
【００１１】
上述した特許文献１記載の発明は、コンクリート製品の表面を保護するためのガード部材に関するものであり、コンクリート製品の孔部の損傷防止には機能しない。
【００１２】
特許文献２記載の発明もコンクリートセグメントのコーナー部の保護部材に関するもので、孔部の損傷防止には機能しない。また、保護部材のアンカー部はコンクリートセグメントに埋め込まれるものであるため、取り付けた製品以外には転用することができない。
【００１３】
特許文献３記載の吊りアンカー用カバーは吊りアンカー頭部の腐食を防止するためのものであり、重機で吊り上げる際には取り外されており、孔部の損傷を防止するものではない。
【００１４】
本発明は、コンクリート製品に形成されている孔部の損傷を防止することで、孔部の修復に要する手間とコストを削減することができ、かつ製造が容易で、多数の製品に対し繰り返し使用が可能なコンクリート製品の孔部損傷防止用保護カバー及びその製造方法を提供することを目的としている。
【課題を解決するための手段】
【００１５】
本発明は、コンクリート製品に形成されている孔部が外部物体との接触または衝突によって損傷するのを防止するためのコンクリート製品の孔部損傷防止用保護カバーであって、前記孔部の内表面形状に一致させて成形した樹脂製の孔内表面保護部と、前記コンクリート製品の孔部外周表面部に当接するフランジ部とを備えていることを特徴とするものである。
【００１６】
孔部の形状などから本発明の孔部損傷防止用保護カバーが脱落する恐れがある場合には、簡単には例えば粘着テープなどを利用して孔部近傍に止め付けてもよいが、対象となるコンクリート製品の孔部または孔部周辺の一部に金属が埋め込まれている場合などには、孔部損傷防止用保護カバーにあらかじめ磁石を取り付けておき、磁石によって金属部分に固定することもできる。
【００１７】
本発明の孔部損傷防止用保護カバーの使用対象となる孔部を備えたコンクリート製品の種類は特に限定されないが、クレーンによる積載作業などで吊り孔などに損傷の恐れがあるトンネル覆工用のセグメント、その他重量の大きい構築用コンクリートブロックなどにおける孔部の損傷防止に有効である。
また、大きさや重量も特に限定されることはなく、孔部の損傷が問題となるコンクリート製品全般に利用することができる。
【００１８】
本発明の孔部損傷防止用保護カバーの材質に関し、孔内表面保護部については加工が容易でコンクリート表面の損傷を防止する観点からある程度弾力性を備えた合成樹脂、合成ゴムなどが適するが、フランジ部については樹脂以外の材料を用いてもよい。
【００１９】
本発明の孔部損傷防止用保護カバーの製造方法は、本発明のコンクリート製品の孔部損傷防止用保護カバーの製造方法であって、シート状の熱可塑性樹脂材料を対象となるコンクリート製品の孔部の内表面形状に添わせる工程と、前記熱可塑性樹脂材料を加熱手段により加熱して前記孔部の内表面形状に一致するように前記孔内表面保護部を成形加工する工程と、前記孔内表面保護部に対し、前記フランジ部を取り付ける工程とを備えることを特徴とする。
【００２０】
シート状の熱可塑性樹脂材料を対象となるコンクリート製品の孔部の内表面形状に添わせる工程は、実際に製造されたコンクリート製品の孔部を利用して行うことができるが、孔部に相当する部分のみコンクリートまたは他の材料で別途製作したものを型として利用して成形加工してもよい。
【００２１】
シート状の熱可塑性樹脂材料としては、種々の材料が市販されているが、熱可塑性ポリウレタン系のシート材料（例えば美浜工業株式会社の製品名「ソリッドフリー」）などを用いることができる。その場合、加熱手段としては家庭用のドライヤーなどを用いることもできる。
【００２２】
フランジ部は他の材料を用いることもできるが、孔内表面保護部と同じ熱可塑性樹脂材料を用い、加熱手段で熱を加えて孔内表面保護部と一体化するようにすれば簡単に製造することができる。
【００２３】
また、孔部損傷防止用保護カバーに上述した固定用の磁石を取り付ける場合には、磁石をボルト・ナット、あるいはビスで取り付けたり、あるいは熱可塑性樹脂材料の加熱の際に埋め込むようにして取り付けることができる。
【発明の効果】
【００２４】
本発明の孔部損傷防止用保護カバーを用いることで、コンクリート製品の孔部の損傷を効果的に防止することができ、従来、孔部の修復に要していた手間と費用を省くことができる。
【００２５】
本発明の孔部損傷防止用保護カバーの製造方法によれば、孔部損傷防止用保護カバーを簡単に安価に製造することができる。
【図面の簡単な説明】
【００２６】
【図１】本発明が適用されるコンクリート製品の一例としてのＲＣセグメントの孔部を示したもので、(a)はＲＣセグメント全体の斜視図、(b)は孔部としての吊り孔を兼ねた裏込め材注入孔部分の正面図である。
【図２】(a)は従来の孔部に吊具の先端を直接挿入する場合の説明図、(b)は孔部に本発明の孔部損傷防止用保護カバーを装着した状態で吊具の先端を挿入する場合の説明図である。
【図３】(a)は本発明の孔部損傷防止用保護カバーの形状の一例を表側から見た正面図、(b)は裏側から見た斜視図である。
【図４】(a)はシートを被せたＲＣセグメントの孔部に本発明の孔部損傷防止用保護カバーが装着されている状態を示す正面図、(b)はその孔部損傷防止用保護カバーを装着した孔部に吊具の先端を挿入した状態を示す斜視図である。
【図５】(a)〜(c)は本発明の孔部損傷防止用保護カバーの製造方法における製造手順の一例を示す斜視図である。
【発明を実施するための形態】
【００２７】
以下、本発明の一実施形態を図２〜図５を参照して説明する。
図２は、従来の孔部１２に吊具２１の先端２２を直接挿入する場合と、孔部１２に本発明の孔部損傷防止用保護カバー１を装着した状態で吊具２１の先端２２を挿入する場合とを対比して示したものである。なお、吊具２１はコンクリート製品としてのセグメント１１に取り付けて上部をラフタークレーンなどで吊り上げるようになっている。
【００２８】
従来は、図２(a)のように、吊具２１の先端２２を孔部１２に直接挿入していたが、吊具２１はラフタークレーンなどで吊った状態で操作されるため、硬質の金属からなる先端２２が孔部１２の周辺部にぶつかることで、孔部１２部分のコンクリートを損傷する事例が頻繁に発生し、その修復に手間と費用を要していた。
【００２９】
これに対し、図２(b)のように、孔部１２に本発明の樹脂製の孔部損傷防止用保護カバー１を装着することで、吊具２１の先端２２がぶつかっても孔部１２部分のコンクリートの損傷がなくなり、従来、修復に要していた手間と費用が省ける。
【００３０】
図３(a)、(b)は本発明の孔部損傷防止用保護カバーの形状の一例を表側と裏側から示したものである。
この孔部損傷防止用保護カバー１は、取付け対象となるコンクリート製品の孔部１２の内表面形状に一致させて成形した樹脂製の孔内表面保護部２と、孔部１２外周表面部に当接するフランジ部３とを備えている。
【００３１】
本実施形態は、底のないお椀形状の孔内表面保護部２の底部に内向きに一対の磁石取付片４を設け、この部分に合計４つの磁石５をボルト・ナットで止め付けてあり、前述した図２(a)、(b)に示される裏込め注入孔を兼ねた孔部１２に埋め込まれた金属材料１３に磁力で固定できるようにして、孔部損傷防止用保護カバー１が脱落しないようにしている。
【００３２】
図４(a)はヤードで保管するためにビニールシートを被せたＲＣセグメント１１の孔部１２に本発明の孔部損傷防止用保護カバー１が装着されている状態を示したものであり、図４(b)はその孔部損傷防止用保護カバー１を装着した孔部に吊具２１の先端を挿入した状態を示したものである。
【００３３】
図５(a)〜(c)は本発明の孔部損傷防止用保護カバーの製造方法の一例を示したもので、以下の手順で孔部損傷防止用保護カバーを製作することができる。
【００３４】
まず、熱可塑性樹脂シート３１を対象となるコンクリート製品の孔部１２の大きさに応じた適当な大きさに切断し、孔部１２の内表面に添わせ、ドライヤー３２などの加熱手段により底のないお椀形状の孔内表面保護部２を製作する（図５(a)、(b)参照）。例えば、前述した美浜工業株式会社の製品名「ソリッドフリー」は、融点が約６０℃であり、ドライヤー３２の熱により自由な形状に加工することができる。
【００３５】
次に、孔内表面保護部２の上部（孔部１２の外周表面位置）に、適当な大きさに切断した熱可塑性樹脂シート３１をドライヤー３２の熱を利用して接着させ、孔内表面保護部２とフランジ部３を一体化させる。
【００３６】
続いて、同様に適当な大きさに切断した熱可塑性樹脂シート３１をドライヤー３２の熱を利用して孔内表面保護部２の下部に内向きに接着し、磁石取付片４を一体化する。この磁石取付片４部分に孔をあけ、ボルト・ナットなどを用いて磁石５を一体化することで、図５(c)に示すような磁石５付きの孔部損傷防止用保護カバー１が完成する。なお、図５(c)は上下逆にして孔部損傷防止用保護カバー１の下から示したものである。
【符号の説明】
【００３７】
１…保護カバー、２…孔内表面保護部、３…フランジ部、４…磁石取付片、５…磁石、
１１…セグメント、１２…孔部、１３…金属材料、
２１…吊具、２２…先端、
３１…熱可塑性樹脂シート、３２…ドライヤー、
【図１】
2019183475.tif 000003
【図２】
2019183475.tif 000004
【図３】
2019183475.tif 000005
【図４】
2019183475.tif 000006
【図５】
2019183475.tif 000007
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
コンクリート製品であるトンネル覆工用のセグメントに形成されている吊り孔としての孔部が外部物体との接触または衝突によって損傷するのを防止するためのコンクリート製品の孔部損傷防止構造であって、前記孔部に、前記孔部の内表面形状に一致させて成形した樹脂製の孔内表面保護部と、前記コンクリート製品の孔部外周表面部に当接するフランジ部とを備えた孔部損傷防止用保護カバーが取り付けられていることを特徴とするコンクリート製品の孔部損傷防止構造。
【請求項２】
請求項１記載のコンクリート製品の孔部損傷防止構造において、前記コンクリート製品の孔部または孔部周辺の一部に金属が埋め込まれており、前記孔部損傷防止用保護カバーには、前記金属部分に固定するための磁石が取り付けてあることを特徴とするコンクリート製品の孔部損傷防止構造。
【請求項３】
請求項１または２記載のコンクリート製品の孔部損傷防止構造に用いられる孔部損傷防止用保護カバーの製造方法であって、シート状の熱可塑性樹脂材料を対象となるコンクリート製品の孔部の内表面形状に添わせる工程と、前記熱可塑性樹脂材料を加熱手段により加熱して前記孔部の内表面形状に一致するように前記孔内表面保護部を成形加工する工程と、前記孔内表面保護部に対し、前記フランジ部を取り付ける工程とを備えることを特徴とする孔部損傷防止用保護カバーの製造方法。
【手続補正３】
【補正対象書類名】明細書
【補正対象項目名】００１５
【補正方法】変更
【補正の内容】
【００１５】
本発明は、コンクリート製品であるトンネル覆工用のセグメントに形成されている吊り孔としての孔部が外部物体との接触または衝突によって損傷するのを防止するためのコンクリート製品の孔部損傷防止構造であって、前記孔部に、前記孔部の内表面形状に一致させて成形した樹脂製の孔内表面保護部と、前記コンクリート製品の孔部外周表面部に当接するフランジ部とを備えた孔部損傷防止用保護カバーが取り付けられていることを特徴とするものである。